(57)【要約】【課題】頭皮洗浄器と既存のシャワーヘッドの両方を操作作業を向上させ、かつ既存のシャワーが有する豊富な水量による洗浄感を向上させること。【解決手段】頭皮などを洗浄する場合に用いられ、タンクに貯水された洗浄用水または外部より導水された洗浄用水に所定の圧力および脈動を加えてシャワー状に吐出する頭皮洗浄器において、既設のシャワーヘッド１２０の先端部分に着脱可能に設けられ、洗浄用水を吐き出すノズルヘッド１１０を備える。【選択図】　　　図４
2004057512.tif 000002
【特許請求の範囲】
【請求項１】
頭皮などを洗浄する場合に用いられ、タンクに貯水された洗浄用水または外部より導水された洗浄用水に所定の圧力および脈動を加えてシャワー状に吐出する頭皮洗浄器において、
既設のシャワーヘッドの先端部分に着脱可能に設けられ、前記洗浄用水を吐き出すノズルヘッドを備えたことを特徴とする頭皮洗浄器。
【請求項２】
頭皮などを洗浄する場合に用いられ、タンクに貯水された洗浄用水または外部より導水された洗浄用水に所定の圧力および脈動を加えてシャワー状に吐出する頭皮洗浄器において、
既設のシャワーヘッドに沿って変形可能に設けられ、先端部分からそれぞれ前記洗浄用水を吐き出す複数のノズルチューブを有するノズルヘッドと、
前記複数のノズルチューブを前記既設のシャワーヘッドに固定する固定部材と、
を備えたことを特徴とする頭皮洗浄器。
【請求項３】
前記ノズルヘッドの少なくとも一部分が形状記憶合金で形成されていることを特徴とする請求項１または２に記載の頭皮洗浄器。
【請求項４】
前記ノズルヘッドの少なくとも一部分が形状記憶樹脂で形成されていることを特徴とする請求項１または２に記載の頭皮洗浄器。
【発明の詳細な説明】
【０００１】
【発明の属する技術分野】
本発明は、頭皮・顔部洗浄、または口腔洗浄、シャワーなどに利用可能な頭皮洗浄器に関し、より詳細には、タンクに一時的に貯水された洗浄用水を加圧すると共に脈動を与え、ホースを経由してノズルヘッドからシャワー状に吐出し、頭皮などを洗浄する洗浄機能と既設のシャワーヘッドによるすすぎ機能とをヘッド部分で操作可能にする頭皮洗浄器に関する。
【０００２】
【従来の技術】
従来より、洗浄効率やマッサージ効果、およびその利便性、快適性などに優れた頭皮洗浄器がある。一般的に、このような頭皮洗浄器は、頭皮洗浄に使用する１回分の洗浄用水をタンクに貯水し、ポンプでタンク洗浄用水を取り込んで加圧すると共に脈動を与えて脈動水流としてホースを経由してノズルヘッドへ送水し、ノズルヘッドから洗浄用水を吐出する構成がとられている。このような頭皮洗浄器は、たとえば特開平１１−１９６９２５号公報「頭部・顔部洗浄装置」に開示されている。
【０００３】
ところで、このような頭皮洗浄器は、通常、既設のシャワーヘッドと共に用いられることが多い。すなわち、既設のシャワーヘッドから湯水を流すなどして洗髪し、その後、頭皮洗浄器を用いて洗浄用水により頭皮を洗浄（マッサージ）し、再び、シャワーですすぐことが行なわれる。
【０００４】
【発明が解決しようとする課題】
しかしながら、上記に示されるような従来の頭皮洗浄器にあっては、シャワーによって洗髪し、その後、頭皮洗浄器を用いて頭皮を洗浄し、再び、シャワーですすぐ必要があるため、これらのシャワーの取替えなど非常に煩わしい作業となっていた。
【０００５】
本発明は、上記に鑑みてなされたものであって、頭皮洗浄器と既存のシャワーヘッドの両方を操作作業を向上させ、かつ既存のシャワーが有する豊富な水量による洗浄感を向上させることを目的とする。
【０００６】
【課題を解決するための手段】
上記の目的を達成するために、請求項１にかかる頭皮洗浄器にあっては、頭皮などを洗浄する場合に用いられ、タンクに貯水された洗浄用水または外部より導水された洗浄用水に所定の圧力および脈動を加えてシャワー状に吐出する頭皮洗浄器において、既設のシャワーヘッドの先端部分に着脱可能に設けられ、前記洗浄用水を吐き出すノズルヘッドを備えたものである。
【０００７】
この発明によれば、既設のシャワーヘッドの先端部分に着脱可能に設けられ、洗浄用水を吐き出すノズルヘッドを備えることにより、シャワーヘッドを用いた洗髪や、頭皮洗浄器のノズルヘッドを用いた頭皮の洗浄や、シャワーヘッドによるすすぎといった操作をユーザにより選択的に簡単に行なうことが可能になると共に、シャワーヘッドからの本来の豊富な水流の取り扱いが従来に比べて簡単になる。
【０００８】
また、請求項２にかかる頭皮洗浄器にあっては、頭皮などを洗浄する場合に用いられ、タンクに貯水された洗浄用水または外部より導水された洗浄用水に所定の圧力および脈動を加えてシャワー状に吐出する頭皮洗浄器において、既設のシャワーヘッドに沿って変形可能に設けられ、先端部分からそれぞれ前記洗浄用水を吐き出す複数のノズルチューブを有するノズルヘッドと、前記複数のノズルチューブを前記既設のシャワーヘッドに固定する固定部材と、を備えたものである。
【０００９】
この発明によれば、複数のノズルチューブを既設のシャワーヘッドに沿って変形させ、これを固定部材で固定することにより、ノズルチューブを、シャワーヘッドの外形形状に沿って変形可能な材料で構成することにより、その変形形状を維持することが可能になり、さらに固定部材による固定が簡単に行なえ、または固定部材がなくても固定することが可能になる。
【００１０】
また、請求項３にかかる頭皮洗浄器にあっては、前記ノズルヘッドの少なくとも一部分が形状記憶合金で形成されているものである。
【００１１】
この発明によれば、請求項１または２において、ノズルヘッドの一部を形状記憶合金で構成することにより、シャワーヘッドの外形形状に沿って変形させ、その形状を維持させることができると共に、使用状態により、ノズルヘッドとシャワーヘッドの相対位置がずれた場合に熱をかけるなどして容易に復旧させることが可能になる。
【００１２】
また、請求項４にかかる頭皮洗浄器にあっては、前記ノズルヘッドの少なくとも一部分が形状記憶樹脂で形成されているものである。
【００１３】
この発明によれば、請求項１または２において、ノズルヘッドの一部を形状記憶樹脂で構成することにより、シャワーヘッドの外形形状に沿って変形させ、その形状を維持させることができると共に、使用により、ノズルヘッドとシャワーヘッドの相対位置がずれた場合に熱をかけるなどして容易に復旧させることが可能になると共に、軽量化を図ることが可能なり、さらに腐蝕に強くなる。
【００１４】
【発明の実施の形態】
以下、本発明にかかる頭皮洗浄器の好適な実施の形態について添付図面を参照し、詳細に説明する。なお、本発明はこの実施の形態を一例とするものであり、これに限定されるものではない。
【００１５】
本発明の頭皮洗浄器は、一般家庭の給湯器などに付設されているシャワーヘッド部分に、洗浄用水に所定の圧力と脈動を与えてシャワー状に吐き出すノズルヘッドを固定可能にし、タンクに貯水された洗浄用水を所定の圧力でシャワー状に吐出する頭皮などを洗浄する機能と既設のシャワーヘッドからのすすぎ機能とをヘッド部分で操作可能にするものである。また、既設のシャワーヘッドに対する装着を簡単に行なえる構成を実現するものである。以下、これらについて具体的に説明する。
【００１６】
図１は、本発明の実施の形態にかかる頭皮洗浄器１００の外観図を示すものである。また、図２は、図１における頭皮洗浄器１００内部の概略構成を示すブロック図である。
【００１７】
これらの図に示すように、この頭皮洗浄器１００は、洗浄用水を貯水するタンク１０１と、タンク１０１から洗浄用水を取り込んで加圧すると共に脈動を与えて脈動水流として送水するポンプ部１０２と、ポンプ部１０２から送出された洗浄用水を導水する配管１０３と、配管１０３で導水された洗浄用水を導水する洗浄器用ホース１０４と、洗浄器用ホース１０４で導水された洗浄用水を吐出するノズルヘッド１０５と、ポンプ部１０２を駆動して洗浄用水の吐出制御を行なう吐出制御部１０６と、を備えている。
【００１８】
なお、図１・図２において、符号１０４ｂはホース取付部であり、ノズルヘッドを交換可能にするものである。また、図２において、符号１０７はタンク１０１とポンプ部１０２との間の流路である配管を示し、符号１１０は装置全体へ電源を供給するバッテリである。
【００１９】
配管１０３は、図２に示すように、洗浄器用ホース１０４との結合部１０３ａを有している。洗浄器用ホース１０４は、配管１０３との結合部１０４ａを有している。なお、上記ノズルヘッド１０５はたとえば標準品として交換可能に装備される。
【００２０】
つぎに、以上のように構成された頭皮洗浄器１００の基本的な動作について説明する。本発明の頭皮洗浄器１００を用いて洗浄を行なう場合、ユーザは、電源スイッチ（図示せず）を操作して電源を投入する。電源が投入されると、吐出制御部１０６は、バッテリ１１０からポンプ部１０２へ電源を供給し、ポンプ部１０２を駆動する。ポンプ部１０２は、タンク１０１から給水された洗浄用水を所定の圧力で加圧し、洗浄器用ホース１０４を経由してノズルヘッド１０５へ洗浄用水を送水する。ノズルヘッド１０５からは、洗浄用水がシャワー状に吐出され、ユーザは頭皮を洗浄する。
【００２１】
つぎに、上述した頭皮洗浄器１００において、本発明の特徴であるところの、頭皮洗浄器１００の第２のノズルヘッドの構成などについて説明する。
【００２２】
図３および図４は、本発明の実施の形態にかかる第２のノズルヘッドの構成例を示す説明図である。なお、この第２のノズルヘッドは以下支障のない限りノズルヘッド１１０として記述する。
【００２３】
これらの図において、符号１１１は中空穴を有するノズルチューブ、符号１１１ａはノズルヘッド１１０の吸水口取付部、符号１１１ｂはノズルチューブ１１１に設けられたノズル吐出穴、符号１１２はノズルチューブ１１１をシャワーヘッド１２０に固定するためのリング状をなした固定具、符号１２０は一般家庭などの給湯器に取り付けられた既設のシャワーヘッド、符号１２０ａはシャワーヘッド１２０の先端面に設けられたシャワー用穴、符号１２１はシャワーヘッド１２０を先端に取り付け、給湯器などからの湯（あるいは水）を導水するためのシャワー用ホースである。
【００２４】
ノズルチューブ１１１は、図示するように、シャワーヘッド１２０の外形形状の一部分に沿って変形される素材で構成され、これを固定具１１２をヘッド先端側に手によって適度に移動することでテーパ部分に締め付けて固定する。また、このノズルチューブ１１１の一部を、たとえば形状記憶合金や形状記憶樹脂などを用い、シャワーヘッド１２０の外形に沿った形で維持できるようにするとさらに固定具１１２が不要となる。なお、この実施の形態では、ノズルチューブ１１１を４本の例で示しているが、これに限らずたとえば５本以上であってももちろんよい。
【００２５】
以上のように構成されたノズルヘッドにおいて、この使用状態を図５に示す。なお、頭皮洗浄器１００の基本的な動作は前述した通りである。洗浄操作の前に、ノズルヘッド１０５をノズルヘッド１１０に交換する。頭皮洗浄器１００のポンプ部１０２によって加圧および脈動水流となった洗浄用水は、洗浄器用ホース１０４を経由し、ノズルヘッド１１０に送水され、ノズル吐出口１１１ｂから細い水流として吐出され、ユーザによってこれを頭皮などにあてて洗浄が行なわれる。また、使用状況（洗髪、洗浄、すすぎなど）に応じて、ユーザにより、シャワー用穴１２０ａから吐き出されるシャワー水流と頭皮洗浄器１００からの水流とを同時に流したり、あるいはそれぞれ独立に流したりすることができる。
【００２６】
このように、ノズルヘッド１１０を既存のシャワーヘッド１２０の一部分に沿って取りつけられる構成とすることにより、シャワーヘッド１２０を用いた洗髪、頭皮洗浄器１００のノズルヘッド１１０を用いた頭皮の洗浄、シャワーヘッド１２０によるすすぎ操作を簡単に行なうことができる。また、シャワーヘッド１２０からの豊富な水流の取り扱いが簡単になり、その結果、洗浄感を向上させる操作状態が得られる。
【００２７】
また、ノズルチューブ１１１を、シャワーヘッド１２０の外形形状に沿って変形可能な材料で構成することにより、その変形形状を維持することが可能になり固定具１１２による固定が簡単に行なうことができ、または固定具１１２がなくても固定することが可能になる。
【００２８】
また、ノズルチューブ１１１の一部を形状記憶効果（Ｓｈａｐｅ　Ｍｅｍｏｒｙ　Ｅｆｆｅｃｔ）を有する形状記憶合金（Ｔｉ‐Ｎｉ，Ｃｕ‐Ａｌ‐Ｚｎなど）で構成することにより、シャワーヘッド１２０の外形形状に沿って変形させ、その形状を維持させることができると共に、使用により、ノズルヘッド１１０とシャワーヘッド１２０の相対位置がずれても、熱をかけるなどして容易に復旧させることができる。さらに、ノズルチューブ１１１の一部を形状記憶効果を有する高分子材料などを含む形状記憶樹脂で構成することにより、上記に加え、軽量化に優れ、かつ腐蝕性に強くなるといった効果がある。
【００２９】
【発明の効果】
以上説明したように、本発明にかかる頭皮洗浄器（請求項１）によれば、既設のシャワーヘッドの先端部分に着脱可能に設けられ、洗浄用水を吐き出すノズルヘッドを備えたので、シャワーヘッドを用いた洗髪や、頭皮洗浄器のノズルヘッドを用いた頭皮の洗浄や、シャワーヘッドによるすすぎといった操作を、ユーザが選択的に簡単に行なうことができると共に、シャワーヘッドからの本来の豊富な水流の取り扱いが従来に比べて簡単になるため、洗浄感が向上する。
【００３０】
また、本発明にかかる頭皮洗浄器（請求項２）によれば、複数のノズルチューブを、シャワーヘッドの外形形状に沿って変形可能な材料で構成したので、その変形形状を維持することができると共に、固定部材による固定が簡単に行なうことができ、または固定部材がなくても固定することが可能になる。
【００３１】
また、本発明にかかる頭皮洗浄器（請求項３）によれば、請求項１または２において、ノズルヘッドの一部を形状記憶合金で構成したので、シャワーヘッドの外形形状に沿って変形させ、その形状を維持させることができると共に、使用により、ノズルヘッドとシャワーヘッドの相対位置がずれた場合に熱をかけるなどして容易に復旧させることができる。
【００３２】
また、本発明にかかる頭皮洗浄器（請求項４）によれば、請求項１または２において、ノズルヘッドの一部を形状記憶樹脂で構成したので、シャワーヘッドの外形形状に沿って変形させ、その形状を維持させることができると共に、使用により、ノズルヘッドとシャワーヘッドの相対位置がずれた場合に熱をかけるなどして容易に復旧させることができると共に、ヘッドの軽量化を図ることができ、さらに耐腐蝕性が向上する。
【図面の簡単な説明】
【図１】本発明の実施の形態にかかる頭皮洗浄器の外観構成を示す説明図である。
【図２】図１における頭皮洗浄器内部の概略構成を示すブロック図である。
【図３】本発明の実施の形態にかかる第２のノズルヘッドの構成例を示す正面図である。
【図４】本発明の実施の形態にかかる第２のノズルヘッドの構成例を示す側面図である。
【図５】本発明の実施の形態にかかる第２のノズルヘッドを既設のシャワーヘッドに装着した状態を示す説明図である。
【符号の説明】
１００　頭皮洗浄器
１０２　ポンプ部
１０４　洗浄器用ホース
１１０　ノズルヘッド
１１１　ノズルチューブ
１１１ｂ　ノズル吐出穴
１１２　固定具
１２０　シャワーヘッド
【図１】
2004057512.tif 000003
【図２】
2004057512.tif 000004
【図３】
2004057512.tif 000005
【図４】
2004057512.tif 000006
【図５】
2004057512.tif 000007